(57)【要約】  本発明は、コンパクト且つ低コストでありながら、多層の情報記録面を有する光ディスクに対して情報の記録／再生を行うことができる光ピックアップ装置を提供する。  対物レンズは、例えばプラスチックに比べて温度変化に対する屈折率変化が小さいガラス素材から形成されているので、環境温度が変化しても球面収差の増大を抑制でき、従ってカップリングレンズの移動量を小さく抑えることができる。加えて前記カップリングレンズを構成する正レンズ群及び負レンズ群のうち、前記正レンズ群の少なくとも１つのレンズを光軸方向に移動させることで、前記光ディスクにおける情報の記録及び／又は再生を行うべき情報記録面を選択するようにしたので、更に前記カップリングレンズの移動量を小さく抑えることができる。これにより前記光源から前記対物レンズまでの光路長を抑え、光ピックアップ装置の小型化と低コスト化を図ることができる。
2011052469.tif 000002
【特許請求の範囲】
【請求項１】
厚さ方向に３つ以上の情報記録面を有する光ディスクにおけるいずれかの情報記録面を選択して、情報の記録及び／または再生を行う光ピックアップ装置であって、
波長λ１（３９０ｎｍ＜λ１＜４１５ｎｍ）の光束を出射する光源と、前記光束を光ディスクの情報記録面上に集光させるための対物レンズと、前記光源と前記対物レンズとの間に配置された正の屈折力を有する正レンズ群及び負の屈折力を有する負レンズ群からなるカップリングレンズとを有し、
前記対物レンズの像側開口数（ＮＡ）は０．８以上であり、
前記対物レンズは単玉であって、ガラス素材から形成されており、
前記光源から出射された光束を、前記カップリングレンズを介して前記対物レンズに入射させ、前記対物レンズにより前記光ディスクの選択された情報記録面上に集光することによって情報の記録及び／または再生を行うようになっており、
前記光ディスクにおける情報の記録及び／又は再生を行うべき情報記録面をある情報記録面から他の情報記録面へと変える際、前記正レンズ群の少なくとも１つのレンズを光軸方向に移動させることを特徴とする光ピックアップ装置。
【請求項２】
前記対物レンズに対して平行光束が入射する状態において、前記対物レンズの有効半径の６割から９割の間で、前記対物レンズの正弦条件違反量が正の極大値を持ち、それより周辺部で正弦条件違反量が単調に減少するようコマ収差の補正状態が設定されていることを特徴とする請求項１に記載の光ピックアップ装置。
【請求項３】
前記対物レンズに対して平行光束が入射する状態において、前記対物レンズの有効半径の４割から８割の間で、前記対物レンズの正弦条件違反量が負の極大値を持ち、それより周辺部で正弦条件違反量が単調に減少するようコマ収差の補正状態が設定されていることを特徴とする請求項１に記載の光ピックアップ装置。
【請求項４】
前記光ディスクに対して情報の記録及び／または再生を行う際に、前記対物レンズを前記光ディスクのラジアル方向及び／またはタンジェンシャル方向に沿って傾けることが可能になっているとともに、前記光ディスクの光束入射面からの距離が最も大きい情報記録面に対して情報の記録及び／または再生を行う状態において、前記対物レンズを傾けた場合に発生する３次コマ収差ＣＭ（ＬＴ）に対する、前記光ディスクを同量傾けた場合に発生する３次コマ収差ＣＭ（ＤＴ）の比の絶対値が０．４以上であることを特徴とする請求項１に記載の光ピックアップ装置。
【発明の詳細な説明】
【技術分野】
【０００１】
本発明は、厚さ方向に３つ以上の情報記録面を有する光ディスクに対して情報の記録及び／又は再生を行える光ピックアップ装置に関する。
【背景技術】
【０００２】
波長４００ｎｍ程度の青紫色半導体レーザを用いて、情報の記録及び／又は再生（以下、「記録及び／又は再生」を「記録／再生」と記載する）を行える高密度光ディスクシステムが知られており、その一例であるＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４．７ＧＢ）と同じ大きさである直径１２ｃｍの光ディスクに対して、１層あたり２５ＧＢの情報の記録が可能である。【０００３】
ところで、従来のＢＤは１層もしくは２層の情報記録面を有しているものが多いが、１枚のＢＤに、より大きなデータを保存したいという市場の要求から、３層以上の情報記録面を有するＢＤについても研究が進んでいる。しかるに、情報の記録及び／又は再生を行う際の光束のＮＡが０．８５と大きいため、複数の情報記録面を有するＢＤでは、一の情報記録面に対して最小の球面収差を付与するようにすると、基板厚さが異なる他の情報記録面においては球面収差が増大し、適切に情報の記録／再生を行えなくなる。かかる球面収差の問題は情報記録面の数が多くなるほど（すなわち、表面からの距離が最も小さい情報記録面と表面からの距離が最も大きい情報記録面との間隔が大きくなるほど）顕在化する。【０００４】
これに対し特許文献１には、光源と対物レンズとの間に配置したカップリングレンズを光軸方向に移動させることで倍率を変更し、選択した情報記録面に対して、収差を抑えた光束を集光させることができる光ピックアップ装置が開示されている。
【先行技術文献】
【特許文献】
【０００５】
【特許文献１】特許第４１４４７６３号明細書
【発明の概要】
【発明が解決しようとする課題】
【０００６】
然るに、上記の特許文献１に記載された光ピックアップ装置により、例えば３層以上の情報記録面を有する光ディスクに対して情報の記録／再生を行おうとすると、カップリングレンズの移動距離が長く必要になる。加えてプラスチック製の対物レンズを用いた場合、温度変化に対する屈折率変化が比較的大きいため、環境温度の変動によって球面収差が増大しやすくなるが、これをカップリングレンズの移動により補正する場合、更に長い移動距離が必要になる。カップリングレンズの移動距離が長くなると、光源から対物レンズまでの光路長が長くなり、例えば光ピックアップ装置の小型化を図れないという問題がある。又、カップリングレンズを駆動する大型のアクチュエータが必要になり、コストも増大するという問題がある。特に、小型化が要求される薄型の光ピックアップ装置では、光源から対物レンズまでの光路長が大きく出来ないという制約があるため、３層以上の情報記録面を有するＢＤへの対応が困難になるという課題がより顕在化する。【０００７】
本発明は、上述の問題を考慮してなされたものであり、コンパクト且つ低コストでありながら、多層の情報記録面を有する光ディスクに対して情報の記録／再生を行うことができる光ピックアップ装置を提供することを目的とする。
【課題を解決するための手段】
【０００８】
請求項１に記載の光ピックアップ装置は、厚さ方向に３つ以上の情報記録面を有する光ディスクにおけるいずれかの情報記録面を選択して、情報の記録及び／または再生を行う光ピックアップ装置であって、
波長λ１（３９０ｎｍ＜λ１＜４１５ｎｍ）の光束を出射する光源と、前記光束を光ディスクの情報記録面上に集光させるための対物レンズと、前記光源と前記対物レンズとの間に配置された正の屈折力を有する正レンズ群及び負の屈折力を有する負レンズ群からなるカップリングレンズとを有し、
前記対物レンズの像側開口数（ＮＡ）は０．８以上であり、
前記対物レンズは単玉であって、ガラス素材から形成されており、
前記光源から出射された光束を、前記カップリングレンズを介して前記対物レンズに入射させ、前記対物レンズにより前記光ディスクの選択された情報記録面上に集光することによって情報の記録及び／または再生を行うようになっており、
前記光ディスクにおける情報の記録及び／又は再生を行うべき情報記録面をある情報記録面から他の情報記録面へと変える際、前記正レンズ群の少なくとも１つのレンズを光軸方向に移動させることを特徴とする。【０００９】
本発明によれば、前記対物レンズは、例えばプラスチックに比べて温度変化に対する屈折率変化が小さいガラス素材から形成されているので、環境温度が変化しても球面収差の増大を有効に抑制できるから、温度変化に伴い増大する球面収差の補正を行う必要がなくなり、これにより前記カップリングレンズの移動量を小さく抑えることができる。【００１０】
ところで、情報の記録及び／又は再生を行うべき情報記録面をある情報記録面から他の情報記録面へと変える動作を行う際（以下、本明細書ではかかる動作を「フォーカスジャンプ」と呼ぶことがある）、カップリングレンズの移動量を小さく抑える方法として、カップリングレンズを構成するレンズ群のうち、光軸方向に移動されるレンズ群のパワーを大きく（すなわち、光軸方向に移動されるレンズ群の焦点距離を短く）することが考えられる。これは、光軸方向に移動されるレンズ群の移動量はそのレンズ群のパワーが大きくなるほど（すなわち、そのレンズ群の焦点距離が短くなるほど）小さくなるからである。然るに、カップリングレンズを一群構成とする場合、光軸方向に移動されるレンズ群の焦点距離（すなわち、カップリングレンズの焦点距離に等しい）を短くすると、対物レンズで集光されたスポットが楕円形状になり、ＢＤに対する情報の記録及び／又は再生に支障が出る虞がある。この理由を以下に述べる。【００１１】
一般的に、光ピックアップ装置の光源として用いられる半導体レーザから射出される光束は断面が楕円形状であるため、楕円の長軸方向と短軸方向の光量分布は異なる。カップリングレンズの焦点距離が短くなりすぎると、カップリングレンズが取り込む光量分布の非対称性が顕著になるため、対物レンズで集光されたスポットが楕円形状になり、ＢＤに対する情報の記録及び／又は再生に支障が出る虞がある。従って、カップリングレンズが一群構成の場合は、フォーカスジャンプ時に必要とされるカップリングレンズの移動量を小さくすることと、カップリングレンズが取り込む光量分布の対称性を両立させることは困難である。【００１２】
上記を両立させるために、本発明の光ピックアップ装置では、カップリングレンズを正レンズ群と負レンズ群とから構成される２群構成とし、正レンズ群の少なくとも１つのレンズを光軸方向に移動させる構成にした。【００１３】
カップリングレンズが取り込む光量分布の対称性を良好にし、対物レンズで集光されたスポットの形状を円形状するためには、光源として使用する半導体レーザから射出される光束の楕円率に対して光学系倍率Ｍを最適な値に設定する必要がある。尚、ＢＤ用の光ピックアップ装置では集光光学系の倍率の最適な値は−０．１程度である。【００１４】
かかる倍率の最適な値は−０．１を維持し、カップリングレンズを２群構成とし、少なくとも１つのレンズを光軸方向に移動させることで、フォーカスジャンプ時に必要なカップリングレンズの移動量を小さくできる。【００１５】
説明を簡略化するために、カップリングレンズを正レンズと負レンズとから構成される２群構成の薄肉レンズ系とし、フォーカスジャンプ時には正レンズを光軸方向に沿って移動させるものとする。正レンズのパワーをＰＰ、正レンズの焦点距離をｆＰ、負レンズのパワーをＰＮ、負レンズの焦点距離をｆＮ、正レンズと負レンズの距離をＬとすると、カップリングレンズ全系のパワーＰＣ、及び、カップリングレンズ全系の焦点距離ｆＣは以下の（１）式で表される。【００１６】
ＰＣ  ＝  ＰＰ＋ＰＮ−Ｌ・ＰＰ・ＰＮ
ＰＣ  ＝  １／ｆＣ
ＰＣ  ＝  １／ｆＰ＋１／ｆＮ−Ｌ／（ｆＰ・ｆＮ）      （１）
ここで、対物レンズの焦点距離をｆＯとすると、カップリングレンズと対物レンズとから構成される集光光学系の倍率Ｍは以下の（２）式となる。【００１７】
Ｍ＝−ｆＯ／ｆＣ  （２）
光源とカップリングレンズとの間に配置される偏光ビームスプリッタ等の光学素子を配置するスペースを考慮すると、カップリングレンズ全系の焦点距離ｆＣを極端に短くすることは出来ない。さらに、ＢＤに対して情報の記録及び／または再生を行う際の、対物レンズとＢＤの距離（作動距離ともいう）が短くなりすぎず、かつ、光ピックアップ装置を薄型化するためには、対物レンズの焦点距離ｆＯの最適な範囲は自ずと決まる。以上より、（２）式で定まる値に上記のように最適な値が存在するという条件に基づいて、ＢＤ用の光ピックアップ装置用のカップリングレンズとして、その全系の焦点距離範囲はある所定の範囲である必要があり、フォーカスジャンプ時に必要なカップリングレンズの移動量のみを考慮してカップリングレンズ全系の焦点距離ｆＣをむやみに小さくすることは出来ない。【００１８】
ここで、本発明の光ピックアップ装置においては、フォーカスジャンプ時の移動量を小さく抑えるために、正レンズのパワーＰＰを大きくし、さらに、カップリングレンズ全系の焦点距離ｆＣが短くなり過ぎないように、負レンズのパワーＰＮの絶対値を大きくした（（１）式を参照）。【００１９】
以上より、本発明における光ピックアップ装置では、フォーカスジャンプ時に必要とされる正レンズ群の移動量を小さくすることと、カップリングレンズが取り込む光量分布の対称性を両立させることが可能となる。【００２０】
また、正レンズ群のみのカップリングレンズに比較して、正レンズ群に負レンズ群を加えることで、カップリングレンズ全系のＮＡを維持したままカップリングレンズ全系の焦点距離を小さくすることができるので、光ピックアップ装置の小型化が可能になる。【００２１】
さらに、カップリングレンズ全系の焦点距離を正レンズ群のみのカップリングレンズの焦点距離より小さくした状態において、カップリングレンズ全系のＮＡを小さくできるので、カップリングレンズが取り込む光量分布の非対称性を緩和することができる。【００２２】
これにより、３層以上の光ディスクという、カップリングレンズの移動量が比較的大きくなりがちな光ピックアップ装置においても、前記光源から前記対物レンズまでの光路長を抑え、光ピックアップ装置の小型化と低コスト化を図ることができる。【００２３】
尚、本明細書では、カップリングレンズの正レンズ群に含まれるレンズのうち、光軸方向に移動可能とされたレンズを「可動レンズ」と呼ぶことがある。また、本明細書では、「カップリングレンズの移動量」を「可動レンズの移動量」と同じ意味で用いる。【００２４】
請求項２に記載の光ピックアップ装置は、請求項１に記載の発明において、前記対物レンズに対して平行光束が入射する状態において、前記対物レンズの有効半径の６割から９割の間で、前記対物レンズの正弦条件違反量が正の極大値を持ち、それより周辺部で正弦条件違反量が単調に減少するようコマ収差の補正状態が設定されていることを特徴とする。【００２５】
対物レンズに対して平行光束が入射する状態において、前記対物レンズの有効半径の６割から９割の間で、前記対物レンズの正弦条件違反量が正の極大値を持ち、それより周辺部で正弦条件違反量が単調に減少するようコマ収差の補正状態が設定されている対物レンズを使用することによって、対物レンズの倍率が変動した際の球面収差の変化量を大きくすることが可能となり、引いては、カップリングレンズの移動量を低減することが可能となる。【００２６】
尚、「対物レンズに対して平行光束が入射する状態」とは、カップリングレンズから射出されて対物レンズに向かう光束が平行光束となるように、カップリングレンズの可動レンズの位置を最適化することと同義である。【００２７】
更に、上記の対物レンズを使用することにより、フォーカスジャンプ時に発生する３次球面収差をカップリングレンズの移動によって補正した状態における３次より大きな高次球面収差の残留（本明細書では、「フォーカスジャンプ時の残留収差」と呼ぶこともある）も抑える事が可能となる。【００２８】
上記高次球面収差をより抑制するためには、入射光の発散収束度の変化により対物レンズで発生する３次球面収差、及び、高次球面収差の変化が、フォーカスジャンプ時に発生する３次球面収差、及び、高次球面収差の変化とほぼ相似形となるように正弦条件の正の極大値を設定することが好ましい。【００２９】
さらに、正弦条件違反量の極大値が正側に加えて、負側にも存在することで、対物レンズの光学面同士が光軸垂直方向に平行偏芯した際のコマ収差の発生量（本明細書では、かかるコマ収差の発生量を「面シフト感度」と呼ぶことがある）を小さく抑えることができ、また、光軸上のレンズ厚みが設計値からずれた際に発生する球面収差の発生量（本明細書では、かかる球面収差の発生量を「軸上厚誤差感度」と呼ぶことがある）も小さくできるため、製造しやすい対物レンズを得ることができる。【００３０】
かかる作用効果をより発揮するためには、対物レンズの有効半径の１割から５割の間で正弦条件違反量が負の極大値を持ち、それより周辺部で正弦条件違反量が負から正に変わり、有効半径の６割から９割の間で正弦条件違反量が正の極大値を持ち、それより周辺部で正弦条件違反量が単調に減少するように、軸外コマ収差の補正状態が設定されていることが好ましい。【００３１】
本発明の光ピックアップ装置に用いられる対物レンズは、カップリングレンズの移動量を小さくすることを優先して、正弦条件違反量の形状が設定されていてもよいし、フォーカスジャンプ時の残留収差を小さく抑えることを優先して、正弦条件違反量の形状が設定されていてもよいし、面シフト感度や軸上厚誤差感度を小さくすることを優先して、正弦条件違反量の形状が設定されていてもよい。上記３点をバランスさせるように、正弦条件違反量の形状が設定されていてもよいことはもちろんである。【００３２】
請求項３に記載の光ピックアップ装置は、請求項１に記載の発明において、前記対物レンズに対して平行光束が入射する状態において、前記対物レンズの有効半径の４割から８割の間で、前記対物レンズの正弦条件違反量が負の極大値を持ち、それより周辺部で正弦条件違反量が単調に減少するようコマ収差の補正状態が設定されていることを特徴とする。【００３３】
正弦条件違反量の極大値が負側に存在することで、対物レンズの面シフト感度を小さく抑えることができ、また、軸上厚誤差感度も小さくできるため、製造しやすい対物レンズを得ることができる。それによって対物レンズの製造誤差に基づく収差の発生を防止できるため、製造誤差に基づいてカップリングレンズの移動距離が延びてしまうことを抑制することができる。【００３４】
請求項４に記載の光ピックアップ装置は、請求項１に記載の発明において、前記対物レンズを前記光ディスクのラジアル方向及び／またはタンジェンシャル方向に沿って傾けることが可能になっているとともに、前記光ディスクの光束入射面からの距離が最も大きい情報記録面に対して情報の記録及び／または再生を行う状態において、前記対物レンズを傾けた場合に発生する３次コマ収差ＣＭ（ＬＴ）に対する、前記光ディスクを同量傾けた場合に発生する３次コマ収差ＣＭ（ＤＴ）の比の絶対値が０．４以上であることを特徴とする。【００３５】
尚、「光ディスクの光束入射面からの距離が最も大きい情報記録面に対して情報の記録及び／または再生を行う状態」とは、光束入射面からの距離が最も大きい情報記録面に対して、前記対物レンズにより集光されたスポットをフォーカスさせた際に発生する３次球面収差が補正されるように、カップリングレンズの可動レンズの位置を最適化することと同義である。【００３６】
光ディスクに対して情報の記録及び／または再生を行う際に、対物レンズを前記光ディスクのラジアル方向及び／またはタンジェンシャル方向に沿って傾けることが可能になっていると、光ディスクの反りや傾き（本明細書ではディスクチルトと呼ぶ）によって発生するコマ収差を対物レンズが傾く（本明細書ではレンズチルトと呼ぶ）ことによって発生するコマ収差でキャンセルさせることが可能となり、光ディスクに対する情報の記録及び／または再生を安定して行うことが可能になる。【００３７】
ここで、レンズチルトにより発生するコマ収差が、ディスクチルトにより発生するコマ収差に対して小さすぎると、ディスクチルトにより発生するコマ収差を補正するために必要なレンズチルト量が大きくなるため、消費電力が増大したり、レンズチルト時に対物レンズと光ディスクが衝突する、といった問題が発生する。【００３８】
尚、レンズチルトにより発生するコマ収差は、対物レンズの正弦条件違反量に依存して変化し、その正弦条件違反量は、光ディスクに対して情報の記録及び／または再生を行う状態における対物レンズの倍率に依存して変化する。具体的には、対物レンズに対して平行光束が入射する状態において正弦条件違反量が補正された対物レンズは、対物レンズに対して発散光束が入射する状態では正弦条件違反量がマイナス側に変化するため、レンズチルトにより発生するコマ収差量が小さくなる。かかるコマ収差量は、対物レンズに入射する光束の発散度が大きいほど小さくなる。【００３９】
ＢＤ用の光ピックアップ装置において対物レンズに入射する光束の発散度が最も大きくなるのは、光束入射面からの距離が最も大きい情報記録面に対して情報の記録及び／または再生を行う場合である。【００４０】
そこで、本発明の光ピックアップ装置では、光束入射面からの距離が最も大きい情報記録面に対して情報の記録及び／または再生を行う状態において、対物レンズを傾けた場合に発生する３次コマ収差ＣＭ（ＬＴ）に対する、前記光ディスクを同量傾けた場合に発生する３次コマ収差ＣＭ（ＤＴ）の比の絶対値が０．４以上となるように、光束入射面からの距離が最も大きい情報記録面に対して情報の記録及び／または再生を行う状態における対物レンズの正弦条件違反量を設定した。これにより、光束入射面からの距離が最も大きい情報記録面に対して情報の記録及び／または再生を行う場合でも、ディスクチルトによるコマ収差をレンズチルトにより良好に補正することが可能となり、光ディスクに含まれる全ての情報記録面に対して良好な記録／再生特性が得られる。【００４１】
かかる効果を一層発揮するためには、ＬＴに対するＤＴの比の絶対値が０．５以上であることが好ましい。【００４２】
また、かかる効果をより一層発揮するためには、対物レンズの正弦条件違反量や球面収差の補正状態を以下に述べるように設定することがより好ましい。【００４３】
一つは、対物レンズに対して平行光束が入射する状態における、対物レンズの正弦条件違反量がプラス側になるように対物レンズの正弦条件違反量を設定することである。【００４４】
別の一つは、対物レンズに対して平行光束が入射する状態において、光束入射面からの距離が最も小さい情報記録面に対して前記対物レンズにより集光されたスポットをフォーカスさせた際に発生する球面収差の絶対値よりも、光束入射面からの距離が最も大きい情報記録面に対して前記対物レンズにより集光されたスポットをフォーカスさせた際に発生する球面収差の絶対値のほうが小さくなるように、対物レンズの球面収差の補正状態を設定することである。【００４５】
これは、対物レンズに平行光束が入射する状態における可動レンズの位置をＴ０、光束入射面からの距離が最も大きい情報記録面に対して情報の記録及び／または再生を行う状態における可動レンズの位置をＴ１、光束入射面からの距離が最も小さい情報記録面に対して情報の記録及び／または再生を行う状態における可動レンズの位置をＴ２としたとき、以下の（３）式が成り立つことと同義である。【００４６】
｜Ｔ１−Ｔ０｜＜｜Ｔ２−Ｔ０｜      （３）
本発明に係る光ピックアップ装置は、少なくとも１つの光源（第１光源）を有する。勿論、複数種類の光ディスクに対応できるように、複数種類の光源を有していてもよい。さらに、本発明の光ピックアップ装置は、少なくとも第１光源からの第１光束を第１光ディスクの情報記録面上に集光させるための集光光学系を有する。複数種類の光ディスクに対応可能な光ピックアップ装置においては、集光光学系が、第２光束を第２光ディスクの情報記録面上に集光させ、第３光束を第３光ディスクの情報記録面上に集光するようにしてもよい。また、本発明の光ピックアップ装置は、少なくとも第１光ディスクの情報記録面からの反射光束を受光する受光素子を有する。複数種類の光ディスクに対応可能な光ピックアップ装置においては、受光素子が、第２光ディスクの情報記録面からの反射光束を受光し、第３光ディスクの情報記録面からの反射光束を受光するようにしてもよい。【００４７】
第１光ディスクは、厚さがｔ１の保護基板と情報記録面とを有する。第２光ディスクは厚さがｔ２（ｔ１＜ｔ２）の保護基板と情報記録面とを有する。第３光ディスクは、厚さがｔ３（ｔ２＜ｔ３）の保護基板と情報記録面とを有する。第１光ディスクがＢＤであり、第２光ディスクがＤＶＤであり、第３光ディスクがＣＤであることが好ましいが、これに限られるものではない。【００４８】
第１光ディスクは、厚み方向に重ねて３つ以上の情報記録面を有するものである。当然、４つ以上の情報記録面を有していてもよい。また、第２光ディスクや第３光ディスクも複数の情報記録面を有していてもよい。【００４９】
本明細書において、ＢＤとは、波長３９０〜４１５ｎｍ程度の光束、ＮＡ０．８〜０．９程度の対物レンズにより情報の記録／再生が行われ、保護基板の厚さが０．０５〜０．１２５ｍｍ程度であるＢＤ系列光ディスクの総称であり、単一の情報記録面のみ有するＢＤや、３層以上の情報記録面を有するＢＤ等を含むものであるが、本発明の光ピックアップ装置は、少なくとも３層以上の情報記録面を有するＢＤに対応可能であることが好ましい。更に、本明細書においては、ＤＶＤとは、ＮＡ０．６０〜０．６７程度の対物レンズにより情報の記録／再生が行われ、保護基板の厚さが０．６ｍｍ程度であるＤＶＤ系列光ディスクの総称であり、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等を含む。また、本明細書においては、ＣＤとは、ＮＡ０．４５〜０．５１程度の対物レンズにより情報の記録／再生が行われ、保護基板の厚さが１．２ｍｍ程度であるＣＤ系列光ディスクの総称であり、ＣＤ−ＲＯＭ、ＣＤ−Ａｕｄｉｏ、ＣＤ−Ｖｉｄｅｏ、ＣＤ−Ｒ、ＣＤ−ＲＷ等を含む。尚、記録密度については、ＢＤの記録密度が最も高く、次いでＤＶＤ、ＣＤの順に低くなる。【００５０】
なお、保護基板の厚さｔ１、ｔ２、ｔ３に関しては、以下の条件式（４）、（５）、（６）を満たすことが好ましいが、これに限られない。尚、ここで言う、保護基板の厚さとは、光ディスク表面に設けられた保護基板の厚さのことである。即ち、光ディスク表面から、表面に最も近い情報記録面までの保護基板の厚さのことをいう。【００５１】
０．０５０ｍｍ≦ｔ１≦０．１２５ｍｍ      （４）
０．５ｍｍ≦ｔ２≦０．７ｍｍ              （５）
１．０ｍｍ≦ｔ３≦１．３ｍｍ              （６）
本明細書において、第１光源、第２光源、第３光源は、好ましくはレーザ光源である。レーザ光源としては、好ましくは半導体レーザ、シリコンレーザ等を用いることが出来る。第１光源から出射される第１光束の第１波長λ１、第２光源から出射される第２光束の第２波長λ２（λ２＞λ１）、第３光源から出射される第３光束の第３波長λ３（λ３＞λ２）は以下の条件式（７）、（８）を満たすことが好ましい。【００５２】
１．５・λ１＜λ２＜１．７・λ１          （７）
１．８・λ１＜λ３＜２．０・λ１          （８）
また、第１光ディスク、第２光ディスク、第３光ディスクとして、それぞれ、ＢＤ、ＤＶＤ及びＣＤが用いられる場合、第１光源の第１波長λ１は好ましくは、３５０ｎｍ以上、４４０ｎｍ以下、より好ましくは、３９０ｎｍ以上、４１５ｎｍ以下であって、第２光源の第２波長λ２は好ましくは５７０ｎｍ以上、６８０ｎｍ以下、より好ましくは、６３０ｎｍ以上、６７０ｎｍ以下であって、第３光源の第３波長λ３は好ましくは、７５０ｎｍ以上、８８０ｎｍ以下、より好ましくは、７６０ｎｍ以上、８２０ｎｍ以下である。【００５３】
また、第１光源、第２光源、第３光源のうち少なくとも２つの光源をユニット化してもよい。ユニット化とは、例えば第１光源と第２光源とが１パッケージに固定収納されているようなものをいう。また、光源に加えて、後述する受光素子を１パッケージ化してもよい。【００５４】
受光素子としては、フォトダイオードなどの光検出器が好ましく用いられる。光ディスクの情報記録面上で反射した光が受光素子へ入射し、その出力信号を用いて、各光ディスクに記録された情報の読み取り信号が得られる。さらに、受光素子上のスポットの形状変化、位置変化による光量変化を検出して、合焦検出やトラック検出を行い、この検出に基づいて、合焦、トラッキングのために対物レンズを移動させることが出来る。受光素子は、複数の光検出器からなっていてもよい。受光素子は、メインの光検出器とサブの光検出器を有していてもよい。例えば、情報の記録再生に用いられるメイン光を受光する光検出器の両脇に２つのサブの光検出器を設け、当該２つのサブの光検出器によってトラッキング調整用のサブ光を受光するような受光素子としてもよい。また、受光素子は各光源に対応した複数の受光素子を有していてもよい。【００５５】
集光光学系は、カップリングレンズと対物レンズを有する。カップリングレンズとは、対物レンズと光源の間に配置され、光束の発散角を変えるレンズ群のことをいう。カップリングレンズは、正レンズ群と負レンズ群とを有する。正レンズ群は少なくとも１枚の正レンズを有する。正レンズ群は、正レンズ１枚のみでもよいし、複数のレンズを有していてもよい。負レンズ群は少なくとも１枚の負レンズを有する。負レンズ群は、負レンズ１枚のみでもよいし、複数のレンズを有していてもよい。好ましいカップリングレンズの例は、正レンズ１枚と負レンズ１枚との組み合わせからなるものである。【００５６】
また、正レンズ群と負レンズ群の配置は、光源側から負レンズ群、正レンズ群の順に配置されていても良いし、光源側から正レンズ群、負レンズ群の順に配置されていても良い。前者においては、光源からの光を負レンズで発散角を拡大して正レンズに入射させ、後者においては、光源からの光を正レンズで集光してから負レンズに入射させる。光径の観点では、前者においては、負レンズから正レンズにいくに従って大きくなり、後者においては、正レンズ入射時に大きくなり、負レンズに向けて小さくなる。従って、カップリングレンズの小型化のために光径を小さくするという観点において、好ましい配置は前者である。【００５７】
以上より、本発明の光ピックアップ装置におけるカップリングレンズの最適な例は、正レンズ１枚と負レンズ１枚の組み合わせから成り、光源側から負レンズ、正レンズの順に配置されているものである。【００５８】
第１光ディスクの選択された情報記録面において発生する球面収差を補正するために、正レンズ群の少なくとも１枚のレンズ（好ましくは正レンズ）は光軸方向に移動可能となっている。例えば、第１光ディスクのある情報記録面の記録及び／又は再生を行い、次に、第１光ディスクの他の情報記録面の記録及び／又は再生を行う場合、カップリングレンズ群の正レンズ群の中の少なくとも１枚のレンズが光軸方向に移動し、光束の発散度を変化させ、対物レンズの倍率を変化させることにより、第１光ディスクの異なる情報記録面へのフォーカスジャンプ時に発生する球面収差を補正する。【００５９】
図１は、本発明者が行った検討結果を示す図である。本発明者は、プラスチック製であって、焦点距離ｆ＝１．１８ｍｍであり光学面が非球面もしくは回折面であり像側開口数が０．８５である対物レンズを例として、複数の情報記録面を有する光ディスク（ＢＤ）において、最大限離れた情報記録面にそれぞれ最適な集光スポットを形成した際に生じる最大の球面収差の差Ａと、環境温度が±３０℃変化したときに生じる最大の球面収差Ｂと、光源の波長が±５ｎｍ変化した際に生じる最大の球面収差Ｃとを求めた。これを図１の棒グラフで表す。かかる球面収差は、カップリングレンズを光軸方向に移動させ、対物レンズの倍率を変化させることで補正できるが、同じカップリングレンズを用いるとすると、球面収差量の合計がカップリングレンズの移動量に相当することとなる。【００６０】
ここで、図１（ａ）、（ｂ）に示すように、情報記録面を２つ有する光ディスクを使用する場合、光学面が非球面屈折面、回折面のいずれの対物レンズでも、球面収差量の合計は４１０〜４３０ｍλ程度であり、カップリングレンズの移動量は比較的小さいといえる。一方、図１（ｃ）に示すように、情報記録面を４つ有する光ディスクを使用する場合、光学面が非球面屈折面の対物レンズでは、球面収差量の合計は６８０ｍλとなり、カップリングレンズの移動量は、情報記録面を２つ有する光ディスクを使用する場合に比べて、約１．５倍必要になる。更に、図１（ｄ）に示すように、光学面が回折面の対物レンズでは、情報記録面を４つ有する光ディスクを使用する場合、回折面の効果として、温度変化に伴って発生する球面収差を低減しているが、その分、波長変化に伴って発生する球面収差が増加してしまい、結果として、球面収差量の合計は６６０ｍλとなり、カップリングレンズの移動量は、情報記録面を２つ有する光ディスクを使用する場合に比べて、同様に約１．５倍必要になる。【００６１】
但し、対物レンズをガラス製とし且つ光学面を非球面屈折面とすると、環境温度変化による球面収差Ｂ（＝１４０ｍλ）がほぼゼロとなるため、よりカップリングレンズの移動量は小さく（図１（ｃ）において球面収差５４０ｍλの補正量相当）なる。さらに、対物レンズをガラス製とし且つ光学面を波長変動時に発生する球面収差を補正する回折面とすると、環境温度変化による球面収差Ｂに加え、回折面の機能により光源の波長変動による球面収差Ｃも減少できるため、カップリングレンズの移動量はより小さく（図１（ｃ）において球面収差５００ｍλの補正量相当）なる。しかしながら、このように対物レンズを改良しても、２つの情報記録面を有する光ディスクの使用時におけるカップリングレンズの移動量に対し、４つの情報記録面を有する光ディスクの使用時におけるカップリングレンズの移動量は依然として２倍程度であるため、カップリングレンズの移動量を抑制する更なる工夫が必要である。同様なことは、３つの情報記録面もしくは５つ以上の情報記録面を有する光ディスクの使用時におけるカップリングレンズの移動量についても言える。【００６２】
尚、上記検討において、情報記録面を２つ有する光ディスクとして（光ディスクの光束入射面からの距離が小さいほうの情報記録面をＲＬ１、光ディスクの光束入射面からの距離が大きいほうの情報記録面をＲＬ２、とする）、光ディスクの光束入射面からＲＬ１までの距離が７５μｍであり、光ディスクの光束入射面からＲＬ２までの距離が１００μｍである光ディスクを想定した。さらに、情報記録面を４つ有する光ディスクとして（光ディスクの光束入射面からの距離が最小の情報記録面をＲＬ１、光ディスクの光束入射面からの距離が最大の情報記録面をＲＬ４、とする）、光ディスクの光束入射面からＲＬ１までの距離が５０μｍであり、光ディスクの光束入射面からＲＬ４までの距離が１００μｍである光ディスクを想定した。【００６３】
以下、カップリングレンズの構成と、移動量との関係を述べる。図２は、正レンズ群（図では１枚）Ｌ１のみを含むカップリングレンズＣＬ１と、正レンズ群（図では１枚）Ｌ２及び負レンズ群（図では１枚）Ｌ３を含むカップリングレンズＣＬ２の断面図である。ここで、カップリングレンズＣＬ１の焦点距離は、カップリングレンズＣＬ２の合成焦点距離と等しく、これをｆとする。従って、カップリングレンズＣＬ２の正レンズ群Ｌ２の焦点距離ｆ２は、カップリングレンズＣＬ１の正レンズ群Ｌ１の焦点距離ｆより短いこととなる。【００６４】
ここで、同じ倍率変化を与える場合のカップリングレンズの移動量は、移動するレンズのパワー（＝１／焦点距離）に逆比例する。よって、同じ倍率変化を与えるために、カップリングレンズＣＬ１の正レンズ群Ｌ１と、カップリングレンズＣＬ２の正レンズ群Ｌ２を移動させたとき、（１／ｆ）＜（１／ｆ２）であるから、（カップリングレンズＣＬ１の移動量）＞（カップリングレンズＣＬ２の移動量）となる。即ち、１枚レンズのカップリングレンズＣＬ１を移動させるより、正レンズと負レンズの２枚レンズのカップリングレンズＣＬ２の正レンズ群Ｌ２を移動させる方が、必要な移動量が少なくて済むのである。【００６５】
本明細書において、対物レンズとは、光ピックアップ装置において光ディスクに対向する位置に配置され、光源から射出された光束を光ディスクの情報記録面上に集光する機能を有する光学系を指す。対物レンズは、単玉のガラスレンズである。好ましくは単玉の凸レンズからなる対物レンズである。対物レンズは屈折面のみからなっていてもよいし、光路差付与構造を有していてもよい。尚、ガラスレンズの上に光硬化性樹脂、ＵＶ硬化性樹脂、又は熱硬化性樹脂などで光路差付与構造を設けたハイブリッドレンズであってもよい。また、対物レンズは、屈折面が非球面であることが好ましい。また、対物レンズは、光路差付与構造が設けられるベース面が非球面であることが好ましい。【００６６】
対物レンズがガラスレンズであると、図１を参照して説明したように、温度変化によって発生する球面収差を補正するためにカップリングレンズを移動させる必要がないため、カップリングレンズの移動量を減らすことができ、光ピックアップ装置を小型化できるため好ましい。【００６７】
また、対物レンズをガラスレンズとする場合は、ガラス転移点Ｔｇが５００℃以下、更に好ましくは４００℃以下であるガラス材料を使用することが好ましい。ガラス転移点Ｔｇが５００℃以下であるガラス材料を使用することにより、比較的低温での成形が可能となるので、金型の寿命を延ばすことが出来る。このようなガラス転移点Ｔｇが低いガラス材料としては、例えば（株）住田光学ガラス製のＫ−ＰＧ３２５や、Ｋ−ＰＧ３７５（共に製品名）がある。【００６８】
加えて，ガラスレンズを成形して製作する際に重要となる物性値が線膨張係数αである。仮にＴｇが４００℃以下の材料を選んだとしても、樹脂材料と比較して室温との温度差は依然大きい。線膨張係数αが大きい硝材を用いてレンズ成形を行った場合、降温時に割れが発生しやすくなる。硝材の線膨張係数αは、２００（１０Ｅ−７／Ｋ）以下にあることが好ましく、更に好ましくは１２０以下であることが好ましい。【００６９】
ところで、ガラスレンズは一般的に樹脂レンズよりも比重が大きいため、対物レンズをガラスレンズとすると、質量が大きくなり対物レンズを駆動するアクチュエータに負担がかかる。そのため、対物レンズをガラスレンズとする場合には、比重が小さいガラス材料を使用するのが好ましい。具体的には、比重が４．０以下であるのが好ましく、更に好ましくは比重が３．０以下であるものである。【００７０】
また、対物レンズを構成する材料のアッベ数は、５０以上であることが好ましい。【００７１】
次に、対物レンズの正弦条件の好ましい条件について説明する。正弦条件とは図３に示すように、光軸からの高さｈ１の光線が、レンズに対して光軸平行入射時に、かかる光線がレンズから出射した際の射出角度がＵである時にｈ１／ｓｉｎＵが一定値を満たすことである。これが光軸からの高さｈ１からの高さに関わらず一定値である場合には、正弦条件が満たされて有効径内の各光線の横倍率が一定であるとみなせる。この正弦条件は軸上での計算値であるが、軸外の横倍率誤差（すなわち軸外コマ収差）補正を行う上では有効である。【００７２】
一方、ｈ１／ｓｉｎＵが一定値にならない場合、ＯＳＣ＝ｈ１／ｓｉｎＵ−ｆを正弦条件違反量と定義する。図４は、対物レンズにおける正弦条件違反量を横軸にとり、光軸からの高さを縦軸にとって示したグラフである。正弦条件を満足する対物レンズの場合、グラフは縦軸に一致するが、正弦条件を満足しない対物レンズの場合、図２に示すようにグラフは縦軸から正側及び／又は負側に離れることとなる。また、正弦条件を満足しない対物レンズについて、光軸及び有効径付近で正弦条件を満足させるようにすると、正弦条件違反量は必ず極大値を持つ。ここで、正弦条件違反量の正側の極大値をＯＳＣｍａｘとし、負側の極大値をＯＳＣｍｉｎとする。【００７３】
図４（ａ）に示す特性の対物レンズは、正弦条件違反量が負側の極大値ＯＳＣｍｉｎを１つ有する例である。（正弦条件違反量が負側の極大値ＯＳＣｍｉｎを１つ有する例としては、図４（ａ）の実線で示したようなものだけでなく、点線で示すように、正弦条件違反量が途中から正の値になるような例であってもよい。）このような対物レンズによれば、面シフト感度が小さく、また軸上厚誤差感度が小さいため、製造が容易である。また、光束入射面からの距離が最も大きい情報記録面に対して情報の記録及び／または再生を行う状態においても、前記光ディスクを同量傾けた場合に発生する３次コマ収差ＣＭ（ＤＴ）を対物レンズを傾けた場合に発生する３次コマ収差（ＣＴ）でキャンセルすることができる上、記録・再生する層に関わらずスポット径の変化を抑えることができる。これは通常光束入射面からの距離が最も大きい情報記録面に対してＤＴをＣＴでキャンセルするためには正弦条件違反量が正である必要があるが、負の極大値を有しないとマージナル光線の正弦条件違反量が正の大きな値となり、スポット径が大きくなってしまうためである。特に、対物レンズの正弦条件違反量が負側の極大値を１つ有する場合、ＢＤにおいては、平行光束を入射させたときに球面収差が最小となる設計基板厚が、０．０８７ｍｍ以下、０．０５ｍｍ以上というように、薄めの設計基板厚にて設計した対物レンズを用いることも可能となる。一方、カップリングレンズの移動に伴い、高次球面収差が増大し、倍率変化による球面収差の変化が小さいという特性を有する。従って、３層以上の光ディスクにおける情報記録面の選択のためカップリングレンズを移動する場合に、必要な移動量が増大する恐れがある。【００７４】
これに対し、図４（ｃ）に示す特性の対物レンズは、対物レンズの有効半径の６割から９割の間において正弦条件違反量が正側の極大値ＯＳＣｍａｘを１つ有し、それより周辺部で正弦条件違反量が単調に減少するが、負側の極大値を有さない例である。このような対物レンズによれば、カップリングレンズの移動に伴って発生する高次球面収差が減少し、倍率変化による球面収差の変化が大きいという特性を有するため、３層以上の光ディスクにおける情報記録面の選択のためカップリングレンズを移動する場合に、必要な移動量を小さくできる。特に、ＢＤにおいては、平行光束を入射させたときに球面収差が最小となる設計基板厚が、０．１５ｍｍ以下、０．０８７５ｍｍ以上というように、薄めの設計基板厚にて設計した対物レンズにおいて好ましい。【００７５】
更に、図４（ｂ）に示す特性の対物レンズは、対物レンズの有効半径の６割から９割の間における正弦条件違反量が正側の極大値ＯＳＣｍａｘと、対物レンズの有効半径の１割から５割の間における負側の極大値ＯＳＣｍｉｎを１つずつ有し、極大値ＯＳＣｍａｘより周辺部で正弦条件違反量が単調に減少し、また極大値ＯＳＣｍｉｎより光軸側で正弦条件違反量が単調に減少する例である。本例は、図４（ａ）に示す特性と、図４（ｃ）に示す特性のバランスをとったものであり、従って製造容易性を確保しながらも、３層以上の光ディスクにおける情報記録面の選択のため、カップリングレンズを移動する場合に、必要な移動量を小さくできるというものである。【００７６】
第１光ディスクに対して情報を再生／記録するために必要な対物レンズの像側開口数をＮＡ１とし、第２光ディスクに対して情報を再生／記録するために必要な対物レンズの像側開口数をＮＡ２（ＮＡ１＞ＮＡ２）とし、第３光ディスクに対して情報を再生／記録するために必要な対物レンズの像側開口数をＮＡ３（ＮＡ２＞ＮＡ３）とする。ＮＡ１は、０．７５以上、０．９以下であることが好ましく、より好ましくは、０．８以上、０．９以下である。特にＮＡ１は０．８５であることが好ましい。ＮＡ２は、０．５５以上、０．７以下であることが好ましい。特にＮＡ２は０．６０又は０．６５であることが好ましい。また、ＮＡ３は、０．４以上、０．５５以下であることが好ましい。特にＮＡ３は０．４５又は０．５３であることが好ましい。【００７７】
また、対物レンズは、以下の条件式（９）を満たすことが好ましい。【００７８】
０．９≦ｄ／ｆ≦１．５      （９）
但し、ｄは、対物レンズの光軸上の厚さ（ｍｍ）を表し、ｆは、第１光束における対物レンズの焦点距離を表す。なお、ｆは、１．０ｍｍ以上、１．８ｍｍ以下となることが好ましい。【００７９】
ＢＤのような短波長、高ＮＡの光ディスクに対応する対物レンズの場合、対物レンズの焦点距離に対する光軸上の厚さの比が大きくなりすぎると、対物レンズに対して軸外光束が入射した際に非点収差が発生しやすくなったり、作動距離が確保出来なくなるという課題が生じる。一方、対物レンズの焦点距離に対する光軸上の厚さの比が小さくなりすぎると、面シフト感度が大きくなるという課題が生じる。条件式（９）を満たすことにより非点収差の発生や面シフト感度を抑制することが可能となる。【００８０】
また、第１光ディスクを用いる際の対物レンズの作動距離は、０．１５ｍｍ以上、１．０ｍｍ以下であることが好ましい。【００８１】
本発明に係る光情報記録再生装置は、上述の光ピックアップ装置を有する光ディスクドライブ装置を有する。【００８２】
ここで、光情報記録再生装置に装備される光ディスクドライブ装置に関して説明すると、光ディスクドライブ装置には、光ピックアップ装置等を収納している光情報記録再生装置本体から光ディスクを搭載した状態で保持可能なトレイのみが外部に取り出される方式と、光ピックアップ装置等が収納されている光ディスクドライブ装置本体ごと、外部に取り出される方式とがある。【００８３】
上述した各方式を用いる光情報記録再生装置には、概ね、次の構成部材が装備されているがこれに限られるものではない。ハウジング等に収納された光ピックアップ装置、光ピックアップ装置をハウジングごと光ディスクの内周あるいは外周に向けて移動させるシークモータ等の光ピックアップ装置の駆動源、光ピックアップ装置のハウジングを光ディスクの内周あるいは外周に向けてガイドするガイドレールなどを有した光ピックアップ装置の移送手段及び、光ディスクの回転駆動を行うスピンドルモータ等である。【００８４】
前者の方式には、これら各構成部材の他に、光ディスクを搭載した状態で保持可能なトレイおよびトレイを摺動させるためのローディング機構等が設けられ、後者の方式にはトレイおよびローディング機構がなく、各構成部材が外部に引き出し可能なシャーシに相当するドロワーに設けられていることが好ましい。
【発明の効果】
【００８５】
本発明によれば、コンパクト且つ低コストでありながら、多層の情報記録面を有する光ディスクに対して情報の記録／再生を行うことができる光ピックアップ装置を提供することができる。
【図面の簡単な説明】
【００８６】
【図１】本発明者が行った検討結果に基づく各球面収差を比較して示す図である。
【図２】比較例のカップリングレンズＣＬ１と、本発明の一例にかかるカップリングレンズＣＬ２の断面図である。
【図３】正弦条件を説明するための図である。
【図４】正弦条件不満足量の例を示す図である。
【図５】光ピックアップ装置ＰＵ１の構成を概略的に示す図である。
【図６】光ピックアップ装置ＰＵ２の構成を概略的に示す図である。
【図７】実施例の正弦条件違反量を示すグラフである。
【発明を実施するための形態】
【００８７】
（第１の実施の形態）
以下、本発明の実施の形態を、図面を参照して説明する。図５は、厚さ方向に３つの情報記録面ＲＬ１〜ＲＬ３（光ディスクの光束入射面からの距離が小さい順にＲＬ１、ＲＬ２、ＲＬ３とする）を有する光ディスクであるＢＤに対して適切に情報の記録／再生を行うことができる本実施の形態の光ピックアップ装置ＰＵ１の構成を概略的に示す図である。かかる光ピックアップ装置ＰＵ１は、光情報記録再生装置に搭載できる。なお、本発明は、本実施の形態に限られるものではない。
【００８８】
光ピックアップ装置ＰＵ１は、対物レンズＯＢＪ、対物レンズＯＢＪをフォーカシング方向及びトラッキング方向に移動させ、光ディスクのラジアル方向、及び／または、タンジェンシャル方向に傾ける３軸アクチュエータＡＣ２、λ／４波長板ＱＷＰ、正の屈折力を有する１枚の正レンズからなる正レンズ群Ｌ２と負の屈折力を有する１枚の負レンズからなる負レンズ群Ｌ３とを有するカップリングＣＬ、正レンズ群Ｌ２のみ光軸方向に移動させる１軸アクチュエータＡＣ１、偏光プリズムＰＢＳ、４０５ｎｍのレーザ光束（光束）を射出する半導体レーザＬＤ、センサ用レンズＳＬ、ＢＤの情報記録面ＲＬ１〜ＲＬ３からの反射光束を受光する受光素子ＰＤを有する。本実施の形態においては、カップリングレンズＣＬは、偏光プリズムＰＢＳとλ／４波長板ＱＷＰとの間に配置されている。尚、本実施の形態では、対物レンズＯＢＪはガラス製の単玉であるが、２つ以上の光学素子を組み合わせて用いても良い。
【００８９】
まず、ＢＤの第１の情報記録面ＲＬ１に対して記録／再生を行う場合について説明する。かかる場合、カップリングレンズＣＬの正レンズ群Ｌ２は、１軸アクチュエータＡＣ１により実線の位置に移動させられる。ここで、青紫色半導体レーザＬＤから射出された光束（λ１＝４０５ｎｍ）の発散光束は、偏光プリズムＰＢＳを透過し、コリメートレンズＣＬの負レンズ群Ｌ３を通過して発散角が増大され、更に正レンズ群Ｌ２を通過して弱い収束光束とされた後、λ／４波長板ＱＷＰにより直線偏光から円偏光に変換され、図示しない絞りによりその光束径が規制され、対物レンズＯＢＪによって第１の厚さの保護基板ＰＬ１を介して、実線で示すように第１の情報記録面ＲＬ１上に形成されるスポットとなる。
【００９０】
第１の情報記録面ＲＬ１上で情報ピットにより変調された反射光束は、再び対物レンズＯＢＪ、絞りを透過した後、λ／４波長板ＱＷＰにより円偏光から直線偏光に変換され、コリメートレンズＣＬの正レンズ群Ｌ２及び負レンズ群Ｌ３を通過して収束光束とされ、偏光プリズムＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第１の情報記録面ＲＬ１に記録された情報を読み取ることができる。
【００９１】
次に、ＢＤの第２の情報記録面ＲＬ２に対して記録／再生を行う場合について説明する。かかる場合、カップリングレンズＣＬの正レンズ群Ｌ２は、１軸アクチュエータＡＣ１により一点鎖線の位置に移動させられる。ここで、青紫色半導体レーザＬＤから射出された光束（λ１＝４０５ｎｍ）の発散光束は、偏光プリズムＰＢＳを透過し、コリメートレンズＣＬの負レンズ群Ｌ３を通過して発散角が増大され、更に正レンズ群Ｌ２を通過して略平行光束とされた後、λ／４波長板ＱＷＰにより直線偏光から円偏光に変換され、図示しない絞りによりその光束径が規制され、対物レンズＯＢＪによって第２の厚さ（第１の厚さより厚い）の保護基板ＰＬ２を介して、一点鎖線で示すように第２の情報記録面ＲＬ２上に形成されるスポットとなる。
【００９２】
第２の情報記録面ＲＬ２上で情報ピットにより変調された反射光束は、再び対物レンズＯＢＪ、絞りを透過した後、λ／４波長板ＱＷＰにより円偏光から直線偏光に変換され、コリメートレンズＣＬの正レンズ群Ｌ２及び負レンズ群Ｌ３を通過して収束光束とされ、偏光プリズムＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第２の情報記録面ＲＬ２に記録された情報を読み取ることができる。
【００９３】
次に、ＢＤの第３の情報記録面ＲＬ３に対して記録／再生を行う場合について説明する。かかる場合、カップリングレンズＣＬの正レンズ群Ｌ２は、１軸アクチュエータＡＣ１により点線の位置に移動させられる。ここで、青紫色半導体レーザＬＤから射出された光束（λ１＝４０５ｎｍ）の発散光束は、偏光プリズムＰＢＳを透過し、コリメートレンズＣＬの負レンズ群Ｌ３を通過して発散角が増大され、更に正レンズ群Ｌ２を通過して弱い発散光束とされた後、λ／４波長板ＱＷＰにより直線偏光から円偏光に変換され、図示しない絞りによりその光束径が規制され、対物レンズＯＢＪによって第３の厚さ（第２の厚さより厚い）の保護基板ＰＬ３を介して、点線で示すように第３の情報記録面ＲＬ３上に形成されるスポットとなる。
【００９４】
第３の情報記録面ＲＬ３上で情報ピットにより変調された反射光束は、再び対物レンズＯＢＪ、絞りを透過した後、λ／４波長板ＱＷＰにより円偏光から直線偏光に変換され、コリメートレンズＣＬの正レンズ群Ｌ２及び負レンズ群Ｌ３を通過して収束光束とされ、偏光プリズムＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第３の情報記録面ＲＬ３に記録された情報を読み取ることができる。
（第２の実施の形態）
図６は、厚さ方向に３つの情報記録面ＲＬ１〜ＲＬ３（光ディスクの光束入射面からの距離が小さい順にＲＬ１、ＲＬ２、ＲＬ３とする）を有する光ディスクであるＢＤに対して適切に情報の記録／再生を行うことができる第２の実施の形態にかかる光ピックアップ装置ＰＵ２の構成を概略的に示す図である。かかる光ピックアップ装置ＰＵ２は、光情報記録再生装置に搭載できる。なお、本発明は、本実施の形態に限られるものではない。
【００９５】
光ピックアップ装置ＰＵ２は、上述した光ピックアップ装置ＰＵ１に対して、カップリングレンズＣＬの配置のみが異なる。具体的には、カップリングレンズＣＬの正レンズ群Ｌ２が偏光プリズムＰＢＳと対物レンズＯＢＪとの間に配置され、負レンズ群Ｌ３が青紫色半導体レーザＬＤと偏光プリズムＰＢＳとの間に配置されている。それ以外の構成については、光ピックアップ装置ＰＵ１と同様である。
【００９６】
まず、ＢＤの第１の情報記録面ＲＬ１に対して記録／再生を行う場合について説明する。かかる場合、カップリングレンズＣＬの正レンズ群Ｌ２は、１軸アクチュエータＡＣ１により実線の位置に移動させられる。ここで、青紫色半導体レーザＬＤから射出された光束（λ１＝４０５ｎｍ）の発散光束は、コリメートレンズＣＬの負レンズ群Ｌ３を通過して発散角が増大され、偏光プリズムＰＢＳを透過し、更に正レンズ群Ｌ２を通過して弱い収束光束とされた後、λ／４波長板ＱＷＰにより直線偏光から円偏光に変換され、図示しない絞りによりその光束径が規制され、対物レンズＯＢＪによって第１の厚さの保護基板ＰＬ１を介して、実線で示すように第１の情報記録面ＲＬ１上に形成されるスポットとなる。
【００９７】
第１の情報記録面ＲＬ１上で情報ピットにより変調された反射光束は、再び対物レンズＯＢＪ、絞りを透過した後、λ／４波長板ＱＷＰにより円偏光から直線偏光に変換され、コリメートレンズＣＬの正レンズ群Ｌ２を通過して収束光束とされ、偏光プリズムＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第１の情報記録面ＲＬ１に記録された情報を読み取ることができる。
【００９８】
次に、ＢＤの第２の情報記録面ＲＬ２に対して記録／再生を行う場合について説明する。かかる場合、カップリングレンズＣＬの正レンズ群Ｌ２は、１軸アクチュエータＡＣ１により一点鎖線の位置に移動させられる。ここで、青紫色半導体レーザＬＤから射出された光束（λ１＝４０５ｎｍ）の発散光束は、コリメートレンズＣＬの負レンズ群Ｌ３を通過して発散角が増大され、偏光プリズムＰＢＳを透過し、更に正レンズ群Ｌ２を通過して略平行光束とされた後、λ／４波長板ＱＷＰにより直線偏光から円偏光に変換され、図示しない絞りによりその光束径が規制され、対物レンズＯＢＪによって第２の厚さ（第１の厚さより厚い）の保護基板ＰＬ２を介して、一点鎖線で示すように第２の情報記録面ＲＬ２上に形成されるスポットとなる。
【００９９】
第２の情報記録面ＲＬ２上で情報ピットにより変調された反射光束は、再び対物レンズＯＢＪ、絞りを透過した後、λ／４波長板ＱＷＰにより円偏光から直線偏光に変換され、コリメートレンズＣＬの正レンズ群Ｌ２を通過して収束光束とされ、偏光プリズムＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第２の情報記録面ＲＬ２に記録された情報を読み取ることができる。
【０１００】
次に、ＢＤの第３の情報記録面ＲＬ３に対して記録／再生を行う場合について説明する。かかる場合、カップリングレンズＣＬの正レンズ群Ｌ２は、１軸アクチュエータＡＣ１により点線の位置に移動させられる。ここで、青紫色半導体レーザＬＤから射出された光束（λ１＝４０５ｎｍ）の発散光束は、コリメートレンズＣＬの負レンズ群Ｌ３を通過して発散角が増大され、偏光プリズムＰＢＳを透過し、更に正レンズ群Ｌ２を通過して弱い発散光束とされた後、λ／４波長板ＱＷＰにより直線偏光から円偏光に変換され、図示しない絞りによりその光束径が規制され、対物レンズＯＢＪによって第３の厚さ（第２の厚さより厚い）の保護基板ＰＬ３を介して、点線で示すように第３の情報記録面ＲＬ３上に形成されるスポットとなる。
【０１０１】
第３の情報記録面ＲＬ３上で情報ピットにより変調された反射光束は、再び対物レンズＯＢＪ、絞りを透過した後、λ／４波長板ＱＷＰにより円偏光から直線偏光に変換され、コリメートレンズＣＬの正レンズ群Ｌ２を通過して収束光束とされ、偏光プリズムＰＢＳで反射した後、センサ用レンズＳＬによって、受光素子ＰＤの受光面上に収束する。そして、受光素子ＰＤの出力信号を用いて、３軸アクチュエータＡＣ２により対物レンズＯＢＪをフォーカシングやトラッキングさせることで、第３の情報記録面ＲＬ３に記録された情報を読み取ることができる。
【０１０２】
尚、以上の実施の形態において、カップリングレンズにおける負レンズ群を対物レンズ側に配置し、正レンズ群を光源側に配置しても良い。
【０１０３】
また、以上の実施の形態において、光ディスクに対して情報の記録及び／または再生行う際に、光ディスクの反りや傾きにより発生するコマ収差を補正するために、３軸アクチュエータＡＣ２で、対物レンズＯＢＪを光ディスクのラジアル方向及び／またはタンジェンシャル方向に沿って傾ける。これにより、反りを持つ光ディスクに対する情報の記録及び／または再生を安定して行え、かつ、光ディスクが回転中に傾いた場合でも情報記録面上のスポットの品質を良好に保つことが可能になる。
【０１０４】
更に、以上の実施の形態において、対物レンズＯＢＪの焦点距離は、１．０ｍｍから１．８ｍｍの範囲であることが好ましい。これにより、小型化が要求される薄型の光ピックアップ装置に対して好適な光ピックアップ装置を得ることができる。
【実施例】
【０１０５】
次に、上述の実施の形態に用いることができる集光光学系の実施例について以下に説明する。集光光学系の対物レンズの焦点距離は１．４１ｍｍであり、カップリングレンズの正レンズの焦点距離は８ｍｍであり、カップリングレンズ全系の焦点距離は１４．１ｍｍであるので、集光光学系の倍率は−０．１である。更に、集光光学系の設計波長は４０５ｎｍ、以下の表中のｒｉは曲率半径、ｄｉは第ｉ面から第ｉ＋１面までの光軸方向の位置、ｎｄｉはｄ線（５８７．６ｎｍ）における各面の屈折率、ｎ４０５ｉは設計波長４０５ｎｍにおける各面の屈折率、νｄはｄ線におけるアッベ数を表している。また、実施例における対物レンズがガラス製でＨＯＹＡ株式会社製のＳＫ５を用いている。尚、これ以降（表のレンズデータ含む）において、１０のべき乗数（例えば、２．５×１０−３）を、Ｅ（例えば、２．５×Ｅ−３）を用いて表すものとする。対物レンズの光学面は、それぞれ数１式に表１に示す係数を代入した数式で規定される、光軸の周りに軸対称な非球面に形成されている。【０１０６】
【数１】
2011052469.tif 000003
【０１０７】
ここで、Ｘ（ｈ）は光軸方向の軸（光の進行方向を正とする）、κは円錐係数、Ａｉは非球面係数、ｈは光軸からの高さ、ｒは近軸曲率半径である。
（実施例１）
表１、及び、表２に実施例１のレンズデータを示す。本実施例は負レンズと正レンズを有する２群構成のカップリングレンズと対物レンズとから構成される。本例における対物レンズは、０．０７５ｍｍの厚さの保護基板厚と倍率ゼロ（対物レンズに対して平行光束が入射することに相当する）の組合せにて球面収差、及び、正弦条件違反量（図７参照）が良好に補正されるように光学面形状が決定されている。また、この状態における対物レンズの正弦条件違反量を図７（Ａ）に示す。【０１０８】
【表１】
2011052469.tif 000004
【０１０９】
【表２】
2011052469.tif 000005
【０１１０】
表１は、本実施例において光束入射面からの距離が０．０５ｍｍの情報記録面（ＲＬ１）に対して情報の記録及び／または再生を行う状態を表すものである。ＲＬ１に対して情報の記録及び／または再生を行う際には、正レンズを対物レンズ側に移動することで、正レンズから射出される光束が弱い収束光束とし、光束入射面から情報記録面までの距離が変わったことに伴う３次球面収差を補正する。【０１１１】
一方、表２は、本実施例において光束入射面からの距離が０．１ｍｍの情報記録面（ＲＬ３）に対して情報の記録及び／または再生を行う状態を表すものである。光束入射面からの距離が０．１ｍｍの情報記録面に対して情報の記録及び／または再生を行う際には、正レンズを光源側に移動することで、正レンズから射出される光束が弱い発散光束とし、光束入射面から情報記録面までの距離が変わったことに伴う３次球面収差を補正する。
（実施例２）
表３、及び、表４に実施例２のレンズデータを示す。本実施例は負レンズと正レンズを有する２群構成のカップリングレンズと対物レンズとからされる。本実施例におけるカップリングレンズは上述した実施例１と同じものである。本実施例における対物レンズは、０．０７５ｍｍの厚さの保護基板厚と倍率ゼロ（対物レンズに対して平行光束が入射することに相当する）の組合せにて球面収差が良好に補正されるとともに、有効半径の６割から９割の間で、対物レンズの正弦条件違反量が正の極大値を持ち、それより周辺部で正弦条件違反量が単調に減少するようコマ収差の補正状態が設定されている。また、この状態における対物レンズの正弦条件違反量を図７（Ｂ）に示す。【０１１２】
【表３】
2011052469.tif 000006
【０１１３】
【表４】
2011052469.tif 000007
【０１１４】
表３は、本実施例において光束入射面からの距離が０．０５ｍｍの情報記録面（ＲＬ１）に対して情報の記録及び／または再生を行う状態を表すものである。ＲＬ１に対して情報の記録及び／または再生を行う際には、正レンズを対物レンズ側に移動することで、正レンズから射出される光束が弱い収束光束とし、光束入射面から情報記録面までの距離が変わったことに伴う３次球面収差を補正する。【０１１５】
一方、表４は、本実施例において光束入射面からの距離が０．１ｍｍの情報記録面（ＲＬ３）に対して情報の記録及び／または再生を行う状態を表すものである。光束入射面からの距離が０．１ｍｍの情報記録面に対して情報の記録及び／または再生を行う際には、正レンズを光源側に移動することで、正レンズから射出される光束が弱い発散光束とし、光束入射面から情報記録面までの距離が変わったことに伴う３次球面収差を補正する。
（実施例３）
表５、及び、表６に実施例３のレンズデータを示す。本実施例は負レンズと正レンズを有する２群構成のカップリングレンズと対物レンズとからされる。本実施例におけるカップリングレンズは上述した実施例１と同じものである。本実施例における対物レンズは、０．０９０ｍｍの厚さの保護基板厚と倍率ゼロ（対物レンズに対して平行光束が入射することに相当する）の組合せにて球面収差、及び、正弦条件違反量（図７参照）が良好に補正されるように光学面形状が決定されている。また、この状態における対物レンズの正弦条件違反量を図７（Ｃ）に示す。【０１１６】
【表５】
2011052469.tif 000008
【０１１７】
【表６】
2011052469.tif 000009
【０１１８】
表５は、本比較例において光束入射面からの距離が０．０５ｍｍの情報記録面（ＲＬ１）に対して情報の記録及び／または再生を行う状態を表すものである。ＲＬ１に対して情報の記録及び／または再生を行う際には、正レンズを対物レンズ側に移動することで、正レンズから射出される光束が弱い収束光束とし、光束入射面から情報記録面までの距離が変わったことに伴う３次球面収差を補正する。【０１１９】
一方、表６は、本実施例において光束入射面からの距離が０．１ｍｍの情報記録面（ＲＬ３）に対して情報の記録及び／または再生を行う状態を表すものである。光束入射面からの距離が０．１ｍｍの情報記録面に対して情報の記録及び／または再生を行う際には、正レンズを光源側に移動することで、正レンズから射出される光束が弱い発散光束とし、光束入射面から情報記録面までの距離が変わったことに伴う３次球面収差を補正する。【０１２０】
表７に、実施例１、実施例２、実施例３において、ＲＬ１に対して情報の記録及び／または再生を行う際の、正レンズの移動量（移動量のゼロ点は対物レンズに対して平行光束が入射する場合の正レンズの位置とし、ゼロ点に対して正レンズが対物レンズに近づく方向に移動する場合を「＋」、正レンズが光源に近づく方向に移動する場合を「−」とする）、正レンズの位置を最適化した状態での３次球面収差（λｒｍｓ）と５次球面収差（λｒｍｓ）の絶対値、対物レンズに対して０．５度傾いた光束が入射する場合に対物レンズで発生する３次コマ収差（λｒｍｓ）の絶対値と５次コマ収差（λｒｍｓ）の絶対値、対物レンズを０．５度傾けた場合に発生する３次コマ収差（λｒｍｓ）の絶対値と５次コマ収差（λｒｍｓ）の絶対値、光ディスクを０．５度傾けた場合に発生する３次コマ収差（λｒｍｓ）の絶対値と５次コマ収差（λｒｍｓ）の絶対値を示す。【０１２１】
【表７】
2011052469.tif 000010
【０１２２】
また、表８に、実施例１、実施例２、実施例３において、ＲＬ３に対して情報の記録及び／または再生を行う際の、正レンズの移動量（移動量のゼロ点は対物レンズに対して平行光束が入射する場合の正レンズの位置とし、ゼロ点に対して正レンズが対物レンズに近づく方向に移動する場合を「＋」、正レンズが光源に近づく方向に移動する場合を「−」とする）、正レンズの位置を最適化した状態での３次球面収差（λｒｍｓ）と５次球面収差（λｒｍｓ）の絶対値、対物レンズに対して０．５度傾いた光束が入射する場合に対物レンズで発生する３次コマ収差（λｒｍｓ）の絶対値と５次コマ収差（λｒｍｓ）の絶対値、対物レンズを０．５度傾けた場合に発生する３次コマ収差（λｒｍｓ）の絶対値と５次コマ収差（λｒｍｓ）の絶対値、光ディスクを０．５度傾けた場合に発生する３次コマ収差（λｒｍｓ）の絶対値と５次コマ収差（λｒｍｓ）の絶対値を示す。【０１２３】
【表８】
2011052469.tif 000011
【０１２４】
先ず、実施例１において、正レンズと負レンズの２枚からなるカップリングレンズにおける正レンズの移動量は、カップリングレンズが単玉のコリメータレンズである場合に比して、移動量が小さくなっている。更に、図７、表７、及び、表８からわかるように、実施例２の集光光学系の対物レンズは、対物レンズに対して平行光束が入射する状態において、対物レンズの有効半径の６割から９割の間で、前記対物レンズの正弦条件違反量が正の極大値を持ち、それより周辺部で正弦条件違反量が単調に減少するようコマ収差の補正状態が設定されているので、実施例１の集光光学系から、更に正レンズの移動量を１割程度小さくすることが出来ることがわかる。また、正レンズの位置を最適化した状態での５次球面収差（フォーカスジャンプ時の残留収差）も、実施例１では０．０１λｒｍｓ程度残留するのに対し、実施例２ではほぼゼロになっており、５次球面収差の点で実施例２はより改善出来ていることがわかる。【０１２５】
また、表７、及び、表８からわかるように、実施例３の集光光学系の対物レンズは、対物レンズに対して平行光束が入射する状態において、０．０９０ｍｍの厚さの保護基板厚に対して球面収差が最小になるように光学面の形状が決定したことで、ＲＬ１に対して情報の記録及び／または再生を行う状態における正レンズの移動量の絶対値よりも、ＲＬ３に対して情報の記録及び／または再生を行う状態における正レンズの移動量の絶対値を小さくした。これにより、ＲＬ３に対して情報の記録及び／または再生を行う際に、対物レンズを傾けた場合に発生する３次コマ収差（ＬＴ）に対する、光ディスクを同量傾けた場合に発生する３次コマ収差ＣＭ（ＤＴ）の比の絶対値を０．７３と高くすることが出来た。この結果、光ディスクの反りや傾きにより発生するコマ収差を補正するために必要な対物レンズの傾け量が小さくてすむ。これに対して、実施例１の集光光学系では、ＬＴに対するＤＴの比の絶対値は０．３６であるので、実施例３において、光ディスクの反りや傾きにより発生するコマ収差を補正するために必要な対物レンズの傾け量をより小さく出来る点で、より好ましい例となっていることがわかる。【０１２６】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は後述するクレームによって示されている。
【符号の説明】
【０１２７】
ＯＢＪ  対物レンズ
ＰＵ１  光ピックアップ装置
ＰＵ２  光ピックアップ装置
ＬＤ  青紫色半導体レーザ
ＡＣ１  １軸アクチュエータ
ＡＣ２  ３軸アクチュエータ
ＰＢＳ  偏光プリズム
ＣＬ  カップリングレンズ
Ｌ２  正レンズ群
Ｌ３  負レンズ群
ＰＬ１  第１の保護基板
ＰＬ２  第２の保護基板
ＰＬ３  第３の保護基板
ＲＬ１  第１の情報記録面
ＲＬ２  第２の情報記録面
ＲＬ３  第３の情報記録面
ＱＷＰ  λ／４波長板
【図４】
2011052469.tif 000012
【図５】
2011052469.tif 000013
【図１】
2011052469.tif 000014
【図２】
2011052469.tif 000015
【図３】
2011052469.tif 000016
【図６】
2011052469.tif 000017
【図７】
2011052469.tif 000018
【国際調査報告】
2011052469.tif 000019
2011052469.tif 000020